(57)【特許請求の範囲】
【請求項１】
着用者の身体前側と身体後側とに延びる前後方向と、前記前後方向に直交する幅方向と、前記着用者に向かう内方向と、前記内方向と反対側に向かう外方向とを有する吸収体を備え、
前記吸収体は、前記着用者の股間部に当てられる股間部領域と、前記股間部領域の前方に配置される前側領域と、前記股間部領域の後方に配置され、前記着用者の臀部に当てられる後側領域と、を有する使い捨て着用物品であって、
前記股間部領域には、前記吸収体が前記内方向に凸に曲がることができるように前記前後方向に沿って一対の曲部が設けられ、
前記曲部の前記幅方向外側には、前記後側領域において前記吸収体が前記内方向に持ち上がることができるように前記前後方向に沿って一対の持ち上げ部が設けられており、
前記曲部の後端部は、前記持ち上げ部の後端部よりも前方に位置することを特徴とする使い捨て着用物品。
【請求項２】
前記曲部は、前記前後方向に沿って配置された第１弾性材であり、
前記持ち上げ部は、前記前後方向に沿って配置された第２弾性材である、請求項１に記載の使い捨て着用物品。
【請求項３】
前記曲部の後端部は、前記持ち上げ部の前端部よりも後方に位置しており、
前記曲部の後端部と前記持ち上げ部の前端部との前記前後方向の距離は、２０ｍｍ以下である、請求項１又は請求項２に記載の使い捨て着用物品。
【請求項４】
前記曲部の前記後端部は、前記持ち上げ部の前端部よりも前方に位置することを特徴とする、請求項１に記載の使い捨て着用物品。
【請求項５】
前記吸収体は、前記曲部の後方に配置された第１領域と、前記第１領域の後方に配置され、前記第１領域と剛性が異なる第２領域とを有する、請求項１から請求項４のいずれかに記載の使い捨て着用物品。
【請求項６】
前記第２領域は、前記後方に向かって前記幅方向内側から前記幅方向外側に向かって延びるように配置される、請求項５に記載の使い捨て着用物品。
【請求項７】
前記曲部と前記持ち上げ部とは、前記幅方向において少なくとも一部が重なっており、
前記持ち上げ部と重なる部分における前記曲部の伸長応力は、前記曲部と重なる部分における前記持ち上げ部の伸長応力よりも高い、請求項２に記載の使い捨て着用物品。
【請求項８】
前記前側領域及び前記後側領域には、前記着用者の脚部に沿うように配置される脚回り弾性材が設けられており、
前記後側領域に設けられた後脚回り弾性材の前記第１弾性材側の端部から後脚回り弾性材に沿って第１弾性材側に延びる第１延長線又は前記後脚回り弾性材は、前記第１弾性材の後端部から前記第１弾性材に沿って後方に延びる第２延長線又は前記第１弾性材と交差する、請求項２に記載の使い捨て着用物品。
【請求項９】
前記前側領域に設けられた前脚回り弾性材の前記第１弾性材側の端部から前脚回り弾性材に沿って第１弾性材側に延びる第３延長線又は前記前脚回り弾性材は、前記第１弾性材の前端部から前記第１弾性材に沿って前方に延びる第４延長線又は前記第１弾性材と交差する、請求項８に記載の使い捨て着用物品。
【請求項１０】
前記曲部の幅方向内側には、前記吸収体が前記内方向に凸に曲がることができるように前記前後方向に沿って中央曲部が設けられており、
前記中央曲部によって前記内方向に凸となった吸収体の頂面が前記股間部に当接するように構成される、請求項１から請求項９のいずれかに記載の使い捨て着用物品。
【請求項１１】
前記曲部の後端部は、前記中央曲部の後端部よりも前方に位置する、請求項１０に記載の使い捨て着用物品。
【請求項１２】
着用者の身体前側と身体後側とに延びる前後方向と、前記前後方向に直交する幅方向と、着用者に向かう内方向と、前記内方向と反対側に向かう外方向とを有する吸収体を備え、
前記吸収体は、前記着用者の股間部に当てられる股間部領域と、前記股間部領域の後方に配置され、前記着用者の臀部に当てられる後側領域と、を有する使い捨て着用物品であって、
前記股間部領域には、前記前後方向に沿って一対の第１弾性材が設けられ、
前記第１弾性材の前記幅方向外側には、前記後側領域において前記前後方向に沿って一対の第２弾性材が設けられており、
前記第１弾性材の後端部は、前記第２弾性材の後端部よりも前方に位置することを特徴とする使い捨て着用物品。
【発明の詳細な説明】
【技術分野】
【０００１】
本発明は、本発明は、吸収体を曲げることができる曲部を有する使い捨て着用物品に関する。
【背景技術】
【０００２】
パンツ型おむつなどの使い捨て着用物品では、着用者の装着感向上や排泄物の漏れ防止を図るため、様々な工夫がなされている。例えば、吸収体を着用者側に曲げることができる曲部としての弾性部材を備える使い捨て着用物品が知られている（例えば、特許文献１）。
【０００３】
具体的には、使い捨て着用物品は、着用物品の幅方向中央に配置された中央吸収体と、中央吸収体の幅方向両外側に配置された弾性部材と、弾性部材の幅方向外側に配置された外側吸収体と、を備える。この使い捨て着用物品によれば、弾性部材により、弾性部材が配置された部分が着用者側に曲がるように変形するため、フィット性が向上して、着用者の装着感向上や排泄物の漏れ防止を図ることができる。
【先行技術文献】
【特許文献】
【０００４】
【特許文献１】特公平５−３３６３０号公報（第４頁、第１図）
【発明の概要】
【発明が解決しようとする課題】
【０００５】
しかしながら、上述した従来の使い捨て着用物品においては、以下の問題があった。外側吸収体は、着用者の股間に当てられる股間部領域のみならず、臀部に当てられる後側領域にも設けられており、着用者の身体の外形に沿って曲線状に配置されることが望ましい。しかし、弾性部材は、股間部領域のみならず、後側領域にも配置されている。弾性部材により、弾性部材が配置された部分が着用者側に曲がるように変形すると、弾性部材よりも幅方向外側の外側吸収体は、身体の外形に沿って曲がり難くなる。特に、臀部近傍においては、臀部の外形が曲線状であるため、吸収体が身体の外形に沿って曲がり難くなることによって、着用者の身体と吸収体とに隙間が生じたり、密着しすぎてしまったりして、装着感が悪化したり、漏れが発生したりするおそれがあった。
【０００６】
そこで、本発明は、着用者の臀部近傍におけるフィット性を高めて、装着感の悪化や漏れの発生を抑制することができるパンツ型おむつなどの使い捨て着用物品を提供することを目的とする。
【課題を解決するための手段】
【０００７】
本発明に係る使い捨て着用物品は、着用者の身体前側と身体後側とに延びる前後方向と、前記前後方向に直交する幅方向（幅方向Ｗ）と、着用者に向かう内方向(内方向ＩＮ)と、前記内方向と反対側に向かう外方向（外方向ＯＵＴ）とを有する吸収体（吸収体４０）を備え、前記吸収体は、前記着用者の股間部に当てられる股間部領域（股間部領域Ｓ１）と、前記股間部領域の前方に配置される前側領域（前側領域Ｓ２）と、前記股間部領域の後方に配置され、前記着用者の臀部に当てられる後側領域（後側領域Ｓ３）と、を有する使い捨て着用物品であって、前記股間部領域には、前記吸収体が前記内方向に凸に曲がることができるように前記前後方向に沿って一対の曲部（第１弾性材４８）が設けられ、前記曲部の前記幅方向外側には、前記後側領域において前記吸収体が前記内方向に持ち上がることができるように前記前後方向に沿って一対の持ち上げ部（第２弾性材４９）が設けられており、前記曲部の後端部（後端部４８Ｂ）は、前記持ち上げ部の後端部（後端部４９Ｂよりも前方に位置することを要旨とする。
【発明の効果】
【０００８】
本発明の特徴によれば、持ち上げ部の後端部が曲部の後端部よりも後方に位置するため、曲部の後端部よりも後方の領域においては、曲部によって吸収体が内方向に曲がる影響が少なくなり、持ち上げ部による内方向の変形のみが作用し易くなる。曲部の後端部よりも後方の領域においては、持ち上げ部によって吸収体が着用者側に曲がるように変形する。幅方向における持ち上げ部の間においては、曲部が設けられていないため、吸収体が着用者側に変形しない。よって、吸収体は、臀部近傍において安定的に曲線形状となる。したがって、臀部近傍において吸収体を着用者の臀部にフィットさせて、装着感の悪化や漏れの発生を抑制することができる。
【図面の簡単な説明】
【０００９】
【図１】第１実施形態に係る使い捨ておむつ１の概略斜視図である。
【図２】第１実施形態に係る使い捨ておむつ１の展開平面図である。
【図３】第１実施形態に係る使い捨ておむつ１の展開平面図である。
【図４】図２に示すＸ１-Ｘ’１線に沿った使い捨ておむつ１の幅方向断面図である。
【図５】図２に示すＸ２-Ｘ’２線に沿った使い捨ておむつ１の長さ方向断面図である。
【図６】図２に示すＸ３-Ｘ’３線に沿った使い捨ておむつ１の幅方向断面図である。
【図７】第１実施形態に係る使い捨ておむつ１の着用状態を模式的に示す概略斜視図である。
【図８】比較例に係る使い捨ておむつ２００の着用状態を模式的に示す概略斜視図である。
【図９】第１実施形態に係る吸収体の平面図である。
【図１０】第１実施形態に係る吸収体の斜視図である。
【図１１】第１実施形態に係る使い捨ておむつ１の着用状態を模式的に示すＸ１-Ｘ’１線に沿った断面図である。
【図１２】第１実施形態に係る使い捨ておむつ１の着用状態を模式的に示す断面図（閉脚時）である。
【図１３】第１実施形態に係る使い捨ておむつ１の着用状態を模式的に示すＸ３-Ｘ’３線に沿った断面図である。
【図１４】変形例に係る使い捨ておむつ１の吸収体の平面図である。
【発明を実施するための形態】
【００１０】
次に、本発明に係る使い捨ておむつ１の実施形態について、図面を参照しながら説明する。具体的には、第１実施形態及び変形例について説明する。
【００１１】
なお、以下の図面の記載において、同一または類似の部分には、同一または類似の符号を付している。ただし、図面は模式的なものであり、各寸法の比率などは現実のものとは異なることに留意すべきである。
【００１２】
従って、具体的な寸法などは以下の説明を参酌して判断すべきである。また、図面相互間においても互いの寸法の関係や比率が異なる部分が含まれ得る。
【００１３】
［第１実施形態］
本実施形態に係る使い捨て着用物品は、一対の第１曲部と、一対の持ち上げ部とを備え、第１曲部の後端部は、持ち上げ部の後端部よりも前方に位置することを特徴とする。
【００１４】
（１）使い捨て着用物品の全体概略構成        
【００１５】
図１は、本実施形態において使い捨て着用物品を構成する使い捨ておむつ１の概略斜視図である。図２及び図３は、本実施形態に係る使い捨ておむつ１の展開平面図である。図４は、図２に示すＸ１−Ｘ’１線に沿った使い捨ておむつ１の幅方向断面図である。図５は、図２に示すＸ２−Ｘ’２線に沿った使い捨ておむつ１の長さ方向断面図である。図６は、図２に示すＸ３−Ｘ’３線に沿った使い捨ておむつ１の長さ方向断面図である。使い捨ておむつ１は、パンツ型の使い捨ておむつである。使い捨ておむつ１は、使い捨ておむつ１の外装部分を構成する前側外装トップシート７０Ｆ、後側外装トップシート７０Ｒ、前側外装バックシート８０Ｆ、後側外装バックシート８０Ｒ、及び外装センターシート１００を備える。前側外装トップシート７０Ｆ、後側外装トップシート７０Ｒ、外装センターシート１００の内側（肌当接面側）には、綿状パルプと高分子吸水性ポリマーから構成される吸収体４０が設けられる。
【００１６】
吸収体４０には、幅方向Ｗにおける中央に中央開口４５が形成される。また、中央開口４５に重なるように中央弾性材４４が設けられる。中央開口４５の両側方には、一対のサイドスリット４２Ｓが形成される。サイドスリット４２Ｓと少なくとも一部が重なるように第１弾性材４８が設けられる。吸収体４０に形成されたこれらの弾性材やスリット等によって、使い捨ておむつ１が着用された際に吸収体４０が曲がるように構成されている。本実施形態において、中央弾性材４４は中央曲部を構成し、サイドスリット４２Ｓ及び第１弾性材４８は、曲部としての第１曲部を構成する。
【００１７】
図２に示すように、使い捨ておむつ１は、着用者の股間部に当てられる股間部領域Ｓ１と、股間部領域Ｓ１の前方に配置される前側領域Ｓ２と、股間部領域Ｓ１の後方に配置され、着用者の臀部に当てられる後側領域Ｓ３と、を有する。前側領域Ｓ２は、股間部領域Ｓ１側に位置する前側中間股下領域Ｓ２１と、前側中間股下領域Ｓ２１よりも前方に位置し、前胴回りに対応する前胴回り領域Ｓ２２と、を有する。後側領域Ｓ３は、股間部領域Ｓ１側に位置する後側中間股下領域Ｓ３１と、後側中間股下領域Ｓ３１よりも後方に位置し、後胴回りに対応する後胴回り領域Ｓ３２と、を有する。
【００１８】
股間部領域Ｓ１は、着用者が両脚を閉じたときに両脚間の幅が最も狭くなる着用者の股間部に当てられる領域である。前側中間股下領域Ｓ２１は、吸収体４０の長さ方向Ｌにおいて股間部領域Ｓ１と前胴回り領域Ｓ２２との間に位置する。後側中間股下領域Ｓ３１は、長さ方向Ｌにおいて股間部領域Ｓ１と後胴回り領域Ｓ３２との間に位置する。
【００１９】
前胴回り縁部４は、後胴回り縁部６と接合されるとともに、前胴回り縁部４’は、後胴回り縁部６’と接合されることによって、使い捨ておむつ１がパンツ型に形成される。
【００２０】
前胴回り領域Ｓ２２及び後胴回り領域Ｓ３２には、ウエストギャザー３が設けられる。ウエストギャザー３は、吸収体４０の幅方向Ｗに沿って伸縮するように配設される合成ゴムなどの細長いウエスト弾性材３Ａを有する。ウエスト弾性材３Ａは、使い捨ておむつ１の幅方向Ｗに沿って伸長された状態で接着剤（例えばホットメルト接着剤）によって、前側外装トップシート７０Ｆと前側外装バックシート８０Ｆ、及び後側外装トップシート７０Ｒと後側外装バックシート８０Ｒとに接合されている。
【００２１】
前側領域Ｓ２及び後側領域Ｓ３には、腰回りギャザー７が設けられる。腰回りギャザー７は、吸収体４０の幅方向Ｗに沿って伸縮するように配設される合成ゴムなどの細長い腰回り弾性材７Ａを有する。腰回り弾性材７Ａは、使い捨ておむつ１の幅方向Ｗに沿って伸長された状態で接着剤（例えばホットメルト接着剤）によって、前側外装トップシート７０Ｆと前側外装バックシート８０Ｆ、及び後側外装トップシート７０Ｒと後側外装バックシート８０Ｒとに接合されている。
【００２２】
後側外装バックシート８０Ｒの中間股下縁部８には、レッグギャザー５が形成される。レッグギャザー５は、着用者の脚部に沿うように形成される。レッグギャザー５は、複数の脚回り弾性材によって形成されている。脚回り弾性材は、前側領域Ｓ２に配置された前脚回り弾性材５Ｆと、後側領域Ｓ３に配置された後脚回り弾性材５Ｒと、によって構成されている。前後方向における前脚回り弾性材５Ｆと後脚回り弾性材５Ｒとの間には、第１曲部を構成する第１弾性材４８が設けられている。
【００２３】
図３に示すように、後脚回り弾性材５Ｒの第１弾性材４８側の端部５ＲＥから後脚回り弾性材５Ｒに沿って第１弾性材４８側に延びる第１延長線ＥＬ１は、第１弾性材４８の後端部４８Ｂから第１弾性材４８に沿って後方に延びる第２延長線ＥＬ２と、交差するように構成されている。よって、股間部領域Ｓ１と後側領域Ｓ３とに跨る領域において、第１弾性材４８と後脚回り弾性材５Ｒとによって、着用者の脚回りを囲むようにレッグギャザー５が形成される。
【００２４】
また、前側領域Ｓ２に設けられた前脚回り弾性材５Ｆの第１弾性材４８側の端部５ＦＥから前脚回り弾性材５Ｆに沿って第１弾性材側に延びる第３延長線ＥＬ３は、第１弾性材４８と、交差するように構成されている。よって、股間部領域Ｓ１と前側領域Ｓ２とに跨る領域において、第１弾性材４８と前脚回り弾性材５Ｆとによって、着用者の脚回りを囲むようにレッグギャザー５が形成される。
【００２５】
このようにレッグギャザー５が形成されることにより、前脚回り弾性材５Ｆによって第１弾性材４８方から引き上げ、後脚回り弾性材５Ｒによって第１弾性材４８を後方から引き上げることができる。したがって、第１弾性材４８による内方向への吸収体４０の変形が着用者側に引き上げられて、吸収体４０の内方向への凸形状の安定性が向上する。また、第１弾性材４８と第２弾性材４９との間に後脚回り弾性材５Ｒが配置されていることにより、第１弾性材４８による吸収体４０の変形が、第２弾性材４９が配置された臀部近傍まで影響することを抑制できる。臀部近傍においては、持ち上げ部を構成する第２弾性材４９の収縮によって吸収体４０が安定的に曲線形状となる。臀部近傍における吸収体と着用者とのフィット性を高めて、装着感の悪化や漏れの発生を抑制することができる。
【００２６】
なお、第１弾性材４８と後脚回り弾性材５Ｒ、及び第１弾性材４８と前脚回り弾性材５Ｆは、着用者の脚回りを囲むように配置されていればよく、他の構成を採用することができる。例えば、後脚回り弾性材の第１弾性材側の端部から後脚回り弾性材に沿って第１弾性材側に延びる第１延長線と、第１弾性材とが交差して配置されていてもよいし、後脚回り弾性材と第１弾性材とが交差して配置されていてもよいし、第１弾性材の後端部から第１弾性材に沿って後方に延びる第２延長線と後脚回り弾性材とが交差して配置されていてもよい。
【００２７】
更に、前脚回り弾性材５Ｆの第１弾性材側の端部から前脚回り弾性材に沿って第１弾性材側に延びる第３延長線ＥＬ３と、第１弾性材の前端部から第１弾性材に沿って後方に延びる第４延長線ＥＬ４とが交差して配置されていてもよいし、第１弾性材と前脚回り弾性材とが交差して配置されていもよいし、第１弾性材の前端部から第１弾性材に沿って後方に延びる第４延長線ＥＬ４と前脚回り弾性材とが交差して配置されていてもよい。
【００２８】
使い捨ておむつ１は、表面シート１０、吸収体４０、サイドシート６０、前側外装トップシート７０Ｆ、後側外装トップシート７０Ｒ、前側外装バックシート８０Ｆ及び後側外装バックシート８０Ｒを備える。表面シート１０、吸収体４０、サイドシート６０、前側外装トップシート７０Ｆと前側外装バックシート８０Ｆ、後側外装トップシート７０Ｒと後側外装バックシート８０Ｒ、外装センターシート１００と前側外装トップシート７０Ｆ、外装センターシート１００と後側外装トップシート７０Ｒは、接着剤や熱融着などによって各々が接合されている。
【００２９】
表面シート１０は、着用者の肌に直接的に接し得る肌当接面を形成するシートである。表面シート１０は、親水性不織布や織物、開口プラスチックフィルム、開口疎水性不織布などの液透過性のシートによって形成されている。表面シート１０の非肌当接面側には、セカンドシート１５が接合されている。
【００３０】
吸収体表面被覆シート２０は、表面シート１０と吸収体４０との間に設けられている。吸収体表面被覆シート２０は、親水性不織布や織物、開口プラスチックフィルム、開口疎水性不織布、ティッシュなどの液透過性のシートによって形成されている。
【００３１】
吸収体裏面被覆シート３０は、吸収体４０を介して表面シート１０や吸収体表面被覆シート２０と逆側の面となる非肌当接面側に設けられている。吸収体裏面被覆シート３０は、液不透過性フィルムなど（例えば、ポリエチレン）のシートによって形成されている。
【００３２】
吸収体４０は、吸収体表面被覆シート２０及び吸収体裏面被覆シート３０によって被覆されている。吸収体４０は、前胴回り領域Ｓ２２から後胴回り領域Ｓ３２に向かう長さ方向Ｌと、長さ方向Ｌに直交する幅方向Ｗとを有する。さらに、吸収体４０は、使い捨ておむつ１を着用する着用者に向かう内方向ＩＮと、内方向と反対側に向かう外方向ＯＵＴとを有する。
【００３３】
サイドシート６０の幅方向における端部は、サイドシート同士が重なり合っている。サイドシート同士が重なり合う部分には、長さ方向Ｌに沿って伸長した状態でサイド弾性材９０が設けられている。サイド弾性材９０は、後側中間股下領域Ｓ２１から股間部領域Ｓ１を経て後側中間股下領域Ｓ３１まで連続している。サイド弾性材９０は、伸縮性を有する合成ゴムなどによって形成されている。
【００３４】
サイドシート６０は、吸収体４０の幅方向Ｗの両側端において、表面シート１０、吸収体表面被覆シート２０及び吸収体裏面被覆シート３０を一体に包むように設けられる。サイドシート６０は、液不透過性の不織布などのシートによって形成されており、サイドシート６０とサイド弾性材９０とによって排泄物の横漏れを防止する防漏壁が構成される。
【００３５】
外装トップシートは、前胴回り領域Ｓ２２及び後側中間股下領域Ｓ２１に形成される前側外装トップシート７０Ｆと、後胴回り領域Ｓ３２及び後側中間股下領域Ｓ３１に形成される後側外装トップシート７０Ｒとを備える。長さ方向において、前側外装トップシート７０Ｆと後側外装トップシート７０Ｒとの間には、外装センターシート１００が配置されている。外装センターシート１００の前端部は、前側外装トップシート７０Ｆの後端部と接合され、外装センターシート１００の後端部は、後側外装トップシート７０Ｒの前端部と接合される。前側外装トップシート７０Ｆ及び後側外装トップシート７０Ｒは、前胴回り領域Ｓ２２及び後胴回り領域Ｓ３２において、幅方向Ｗの幅が他の領域よりも大きく形成されている。前側外装トップシート７０Ｆ及び後側外装トップシート７０Ｒは、エアスルー不織布、スパンボンド不織布、ＳＭＳ不織布、防水フィルムなどによって形成できる。
【００３６】
前側外装バックシート８０Ｆは、前胴回り領域Ｓ２２において前側外装トップシート７０Ｆよりも非肌当接面側に設けられる。後側外装バックシート８０Ｒは、後胴回り領域Ｓ３２において後側外装トップシート７０Ｒよりも非肌当接面側に設けられる。長さ方向Ｌにおける前側外装バックシート８０Ｆ（後側外装バックシート８０Ｒ）の一端は、肌当接面側に折り返され、前側外装トップシート７０Ｆ（後側外装トップシート７０Ｒ）の長さ方向Ｌにおける端部を包むように設けられる。前側外装バックシート８０Ｆは、エアスルー不織布、スパンボンド不織布、ＳＭＳ不織布、防水フィルムなどによって形成できる。
【００３７】
吸収体裏面被覆シート３０は、前側外装トップシート７０Ｆ、後側外装トップシート７０Ｒ及び外装センターシート１００とに対して部分的に接着されている。図３に示すように、吸収体裏面被覆シート３０は、前側外装トップシート７０Ｆ、後側外装トップシート７０Ｒ及び外装センターシート１００の少なくともいずれかに接着された接着領域ＢＡ１と、前側外装トップシート７０Ｆ、後側外装トップシート７０Ｒ及び外装センターシート１００のいずれにも接着されていない非接着領域ＢＡ２とを有する。接着領域は、図３において斜線を付した領域である。非接着領域ＢＡ２は、一対の第１曲部に対応する部分に設けられている。第１曲部に対応する部分において外装センターシート１００と吸収体裏面被覆シート３０が接着されていないため、外装センターシート等の変形によって吸収体４０の形状が変形することを抑制することができる。よって、第１弾性材４８等によって形成された吸収体４０の凸状部分の安定性を向上させることができる。
【００３８】
また、非接着領域ＢＡ２は、後胴回り領域Ｓ３２及び前胴回り領域Ｓ２２における後述する第２吸収体４２の長さ方向外側に設けられている。この非接着領域ＢＡ２に対応する前側外装トップシート７０Ｆと前側外装バックシート８０Ｆ、及び後側外装トップシート７０Ｒと後側外装バックシート８０Ｒには、腰回りギャザー７が設けられている。例えば、前側外装トップシート７０Ｆと吸収体裏面被覆シート３０とが接着されていると、腰回りギャザー７を構成する腰周り弾性材７Ａの収縮によって、吸収体４０に皺やよれが発生することがある。しかし、非接着領域ＢＡ２を設けることにより、腰回り弾性材７Ａの収縮によって、吸収体４０に皺等が発生することを抑制することができる。
【００３９】
中央弾性材４４は、長さ方向Ｌに沿って設けられており、使い捨ておむつ１の厚さ方向Ｔにおいて中央開口４５と重なる位置に設けられている。中央弾性材４４は、内方向ＩＮに凸、つまり、吸収体４０が着用者に向けて凸に曲がるように、長さ方向Ｌに沿って吸収体４０に重なるように形成されている。
【００４０】
第１弾性材４８は、長さ方向Ｌにおいて、使い捨ておむつ１の厚さ方向Ｔにおいて後述するサイドスリット４２Ｓと重なる位置に設けられている。第１弾性材４８は、内方向ＩＮに凸、つまり、吸収体４０が着用者に向けて凸に曲がるように、長さ方向Ｌに沿って吸収体４０に重なるように形成されている。
【００４１】
中央弾性材４４及び第１弾性材４８は、吸収体裏面被覆シート３０の非肌当接面側に伸長された状態で設けられている。また、中央弾性材４４の非肌当接面側には、弾性材被覆シート４３が設けられており、中央弾性材４４は、吸収体裏面被覆シート３０と、弾性材被覆シート４３との間に、接着剤によって接合されている。更に、第１弾性材４８の非肌当接面側には、サイドシート６０が設けられており、第１弾性材４８は、吸収体裏面被覆シート３０と、サイドシート６０との間に、接着剤によって接合されている。なお、中央弾性材４４及び第１弾性材４８は、表面シート１０に接合されていても、前側外装トップシート７０Ｆ及び後側外装トップシート７０Ｒに接合されていてもよい。
【００４２】
また、中央弾性材４４の前端部４４Ｆは、第１弾性材４８の前端部４８Ｆよりも後方に配置されている。すなわち、中央曲部の前端部は、第１曲部の前端部よりも後方に設けられる。このような構成によれば、股間部において着用者の前方に空間が形成され易くなり、股間部の前側が圧迫されることによる装着感の悪化を抑制することができる。
【００４３】
一方、第１弾性材４８の後端部４８Ｂは、中央弾性材４４の後端部４４Ｂよりも前方に配置されている。すなわち、第１曲部の後端部は、中央曲部の後端部よりも前方に設けられる。第１曲部が後方に長すぎると、第１曲部が臀部近傍まで延び、吸収体４０が臀部のカーブに沿い難くなることがある。しかし、このような構成によれば、着用物品が滑らかな曲線状になり易く、着用物品を臀部に沿って配置することができ、着用物品と肌との間に適度な空間を保持することができる。よって、着用物品と肌との間の空間に排泄された尿や便等の排泄物を一時的に溜めることができ、液漏れ等、排泄物の漏れを防ぐことができる。また、着用物品が臀部に沿った形状となるため、着用物品の外形が身体に沿った形状となり、外観を良好に保つことができる。
【００４４】
中央弾性材４４の素材には、例えば、スチレン−ブタジエン、ブタジエン、イソプレン、ネオプレン等の合成ゴム、天然ゴム、ＥＶＡ、伸縮性ポリオレフィン、スパンデックス、発泡ポリウレタン等を挙げることができる。その他、中央弾性材４４の材料としては、伸縮不織布などの弾性シートを用いてもよい。
【００４５】
第１実施形態では、中央弾性材４４は、幅方向Ｗに、約１０ｍｍに渡って３本並列した状態で配置された中央部弾性部材４４Ｃと、中央部弾性部材の側方に２本ずつ並列した状態で配置された中央補助弾性部材４４Ｓと、を有する。中央弾性材４４の長さ方向Ｌの長さは約１２０ｍｍである。中央弾性材は、６２０ｄｔｅｘの太さ、２．５倍の伸長倍率で３本伸長固定され、その幅方向外側に、中央補助弾性部材４４Ｓが６２０ｄｔｅｘの太さ、１．８倍の伸長倍率で２本ずつ伸長固定されている。中央弾性材４４の材質は、スパンデックスである。吸収体が凸に曲がる前の状態において、中央弾性材４４のうち、幅方向における中央弾性材の中央に位置する中央部弾性部材４４Ｃは、中央部弾性部材４４Ｃの幅方向外側に設けられた中央補助弾性部材４４Ｓの伸長応力よりも高くなるように設けられている。したがって、中央弾性材４４によって、より確実に内方向ＩＮに凸、つまり吸収体４０が着用者に向けて凸に曲がるようになる。また、凸の山の曲線がなだらかとなり、肌と密着する面積を高めることができる。中央部弾性部材４４Ｃの伸長倍率は１．４倍から３.０倍、中央補助弾性部材４４Ｓの伸長倍率は１．２倍から２．８倍が好ましい。
【００４６】
第１弾性材４８は、幅方向Ｗに３本並列した状態で配置されている。第１弾性材４８の材質は、スパンデックスである。第１弾性材４８は、６２０ｄｔｅｘの太さ、２．０倍の伸長倍率で３本ずつ伸長固定されている。なお、第１弾性材４８は、吸収体４０が凸に曲がる前の状態で、中央弾性材４４よりも低い伸長応力となるように構成されている。吸収体が凸に曲がる前の状態とは、換言すれば、図２に示す、着用物品を平面に伸ばした状態である。第１弾性材４８を中央弾性材４４よりも低い伸長応力となるように構成することで、中央弾性材４４によって形成される凸状部分の高さが、第1弾性材４８によって形成される凸状部分よりも高くなる。よって、着用時において中央領域の凸状部分を着用者の排泄口側に密着させることが可能となる。
【００４７】
また、中央弾性材４４及び第１弾性材４８の後方であって、中央弾性材４４及び第１弾性材４８の幅方向外側には、持ち上げ部を構成する第２弾性材４９が設けられている。第２弾性材４９は、使い捨ておむつ１の厚さ方向Ｔにおいて吸収体４０と重なる位置に設けられている。第２弾性材４９は、吸収体４０を内方向に持ち上げることにより、臀部近傍の着用物品を内方向ＩＮ側に収縮させて、着用物品を臀部に沿った形状にするように構成されている。
【００４８】
第２弾性材４９の材質は、スパンデックスであり、幅方向Ｗに３本並列した状態で配置されている。第２弾性材４９は、７８０ｄｔｅｘの太さ、２．３倍の伸長倍率で伸長固定されている。例えば、後述する図１４（ｅ）に示すように、第１弾性材４８と第２弾性材４９とが幅方向Ｗにおいて重なる場合（第１弾性材４８と第２弾性材４９とが幅方向に隣接して配置されている場合）、重なる部分では、吸収体４０が凸に曲がる前の状態であって且つ吸収体４０が内方向に持ち上がる前の状態において、第１弾性材４８の伸長応力が、第２弾性材４９の伸長応力よりも高くなるように構成されている。第２弾性材４９を第１弾性材４８よりも低い伸長応力となるように構成することにより、第１弾性材４８を配置した部分が着用時に身体に近づくように変形する。よって、第１弾性材４８よりも幅方向外側に位置する吸収体４０は、安定的に外側に曲がった形状となる。吸収体４０の着用者の股間部にあたる部分を安定的に外側に曲がった形状とすることにより、例えば、股間部の吸収力強化等の目的で吸収体の幅を大きくした場合であっても、吸収体４０と排泄口とが密着し易くなる。なお、第１弾性材４８の伸長倍率は１．２倍から３．２倍、第２弾性材の伸長倍率は１．５倍から３．５倍が好ましい。
【００４９】
第１弾性材４８と第２弾性材４９とは、幅方向Ｗにおいて重ならないように設けられている。すなわち、第１弾性材４８と第２弾性材４９とは、長さ方向Ｌにおいて離間しており、第１弾性材４８の後端部４８Ｂは、第２弾性材４９の前端部４９Ｆよりも前方に位置する。第１弾性材４８は、吸収体４０を内方向ＩＮ側に凸状となるように曲げる。第１弾性材４８よりも幅方向外側には、内方向ＩＮ側の凸状である山部に対する谷部が設けられる。第２弾性材４９は、第１弾性材４８よりも幅方向外側に配置され、吸収体４０を内方向ＩＮ側に向けて付勢する。第１弾性材４８と第２弾性材４９を近接して配置すると、第１弾性材４８の山部に対する谷部が第２弾性材４９の付勢力によって押し上げられて、第１弾性材によって形成される凸状部分の安定性が低下するおそれがある。よって、第１弾性材４８と第２弾性材４９とは、幅方向Ｗにおいて重ならないように設けることが望ましい。また、第１弾性材４８と第２弾性材４９とが幅方向Ｗにおいて重なる場合には、重なる領域の長さ方向Ｌの長さは、２０ｍｍ以下であることが望ましい。
【００５０】
なお、本実施の形態では、第１弾性材４８と第２弾性材４９とは幅方向において重ならないように設けられているが、第１弾性材４８と第２弾性材４９とが幅方向Ｗにおいて重なるように配置されていてもよい。このような場合には、少なくとも第１弾性材４８の後端部４８Ｂは、第２弾性材４９の後端部４９Ｂよりも前方に配置することが好ましい。
【００５１】
第１弾性材４８は、股間部領域Ｓ１よりも後方（後側領域Ｓ３）に配置しないことが望ましい。第１弾性材４８を後側領域Ｓ３に配置しないことにより、後側領域Ｓ３における一対の第１弾性材間の吸収体４０は、安定的に内に向いた形状となる。着用物品が滑らかな曲線状になり易くなり、着用物品を臀部に沿って配置することができ、着用物品と肌との間に適度な空間を保持することができる。この空間を設けることにより、排泄された尿に対して吸収体の吸収速度が間に合わない場合に、尿を一時的に溜めることができ、漏れを防止することができる。また、肌と吸収体との空間は、便の収容空間としても機能するため、便の漏れも防止することができる。
【００５２】
更に、着用者が横になった状態において最も漏れが発生しやすい臀部近傍において、吸収体が持ち上げ部によって着用者側に持ち上げられて肌と密着するため、肌を伝った尿が外へ流れ出ることを防止することができる。また、着用物品が臀部に沿った形状となるため、着用物品の外形が身体に沿った形状となり、外観を良好に保つことができる。
【００５３】
図７は、本実施の形態に係る使い捨ておむつ１の着用状態を模式的に示す概略斜視図であり、図８は、比較例に係る使い捨ておむつの着用状態を模式的に示す概略斜視図である。比較例に係る使い捨ておむつは、本実施の形態に係る使い捨ておむつと異なり、第２弾性材４９を備えていない。更に、比較例に係る使い捨ておむつは、第１弾性材４８の長さ方向Ｌにおける長さが、実施の形態に係る使い捨ておむつよりも後側に向かって３０ｍｍ長く構成されている。よって、比較例に係る使い捨ておむつの第１弾性材４８は、臀部まで伸びている。
【００５４】
図８に示すように、第１弾性材４８の後端部４８Ｂが臀部まで延びている場合には、第１弾性材４８による凸状部分が後方に延び、後側領域Ｓ３において長さ方向Ｌに延びる折り線が形成される。よって、吸収体４０が曲線状に配置され難くなる。一方、図７に示すように、第１弾性材４８と第２弾性材４９とが幅方向において重ならない場合には、臀部付近において吸収体の形状が安定的に曲線形状となり、着用物品の外形が身体に沿った形状となり、吸収体と着用者との間に適度な空間を保ちつつ、外観を良好に保つことができる。
【００５５】
なお、弾性材の伸長応力は、例えば、次のようにして測定することができる。
【００５６】
[１]凸状部分を形成する弾性材を幅方向にすべて含むように、弾性材を挟み込んだ資材ごと切り出す。具体的には、本実施例に係る着用物品においては、５mm間隔で３本ずつ配置された中央弾性材及び第１弾性材を挟み込んだ資材をたるみがないように伸長させた状態で、幅13mm×長さ100mmを切り出す。同じく伸長させた状態で長さ方向両端部からそれぞれ１０mm内側にマーキングする。伸長応力の測定には、インスロンジャパンカンパニィリミテッド社製の引張り試験機（例えば、型式：5564）、又は株式会社島津製作所製オートグラフ（例えば、型式：AGS-1kNG）を使用した。
【００５７】
[２] [１]の試料を、マーキング部がチャック内側端部になるように上部チャックで挟むとともに、他方のマーキング部がチャック内端部になるように下部チャックで挟む。チャック間における試料の長さ寸法は、８０ｍｍとなる。なお、弾性材のギャザーとして効いている長さが１００ｍｍより短い場合は、ギャザーとして効いている弾性材の長さうち最も短い長さより２０ｍｍ短い長さをチャック間における試料の長さに設定する。初期のチャック間距離は初期に試料のテンションが掛からないようにするため、試料が縮んだときの長さ(自然長)よりも短く設定する。それらチャックが互いに離間するように試料を１００ｍｍ／ｍｉｎの条件で上下方向へ引っ張り、試料を伸長する。 
【００５８】
[３] 試料を、弾性部材を挟み込んだ資材がたるみなく伸長したときの試料のチャック間における長さ寸法を１００％として、試料のチャック間の長さ寸法が９０％になるまで試料を伸ばし、そのときの試料の伸長時応力を測定し、弾性材の伸長応力とする。すなわち上記本実施例では試料の１００％長さ寸法８０ｍｍに対して９０％の７２ｍｍまで試料を伸ばしたときの伸長時応力を測定する。
【００５９】
また、吸収体表面被覆シート２０は、サイドスリット４２Ｓが形成された部分において、吸収体裏面被覆シート３０と接合されるように構成してもよい。このように構成することで、吸収体４０が変形してサイドスリット４２Ｓが閉じたり、吸収体表面被覆シート２０等と吸収体４０とがずれたりすることを抑制できる。また、吸収体４０が液体を吸収して膨らんだ場合において、サイドスリット４２Ｓが閉じることを防止できるため、サイドスリット４２Ｓによって凸状部分を確実に形成することが可能となる。
【００６０】
なお、上述した使い捨ておむつ１を構成する各部材は、例えば、特開２００６−３４６４３９号公報に記載された材料を用いてもよい。
【００６１】
（２）吸収体の構造
図９は、吸収体４０の平面図であり、図１０は、吸収体４０の斜視図である。図９及び図１０に示すように、吸収体４０は、第１層４１と、第１層４１と重ねられる第２層４２とを有する。第１層４１は、着用者の非肌当接面側に位置し、第２層４２は、着用者の肌当接面側に位置する。
【００６２】
第１層４１と、第２層４２とは、綿状パルプと高分子吸収性ポリマー（ＳＡＰ）とから構成されている。第１層４１は、パルプ２７０ｇ／ｍ２とＳＡＰ１７０ｇ／ｍ２とを混合させて形成されており、厚さ方向Ｔにおける厚さは約３．０ｍｍである。第２層４２は、パルプ４００ｇ／ｍ２とＳＡＰ２４０ｇ／ｍ２とを混合させて形成されており、厚さ方向Ｔにおける厚さは約４．４ｍｍである。つまり、第１層４１と、第２層４２とが重なる部分の厚さは約７．４ｍｍとなる。なお、第１層４１は、パルプ１００〜５００ｇ／ｍ２であって、ＳＡＰ２０〜５００ｇ／ｍ２が好ましく、第２層４２は、パルプ１００〜５００ｇ／ｍ２であって、ＳＡＰ０〜５００ｇ／ｍ２が好ましい。
【００６３】
図１０に示すように、第１層４１は、幅方向Ｗの中央に向かって凹み、幅方向Ｗにおいて所定の幅を有する幅狭部４１Ｎと、長さ方向Ｌにおける幅狭部４１Ｎの両端に形成される幅広部４１ＦＬと幅広部４１ＢＬとを有している。幅狭部４１Ｎは、股間部領域Ｓ１に形成されている。また、幅広部４１ＦＬは前胴回り領域Ｓ２２に形成され、幅広部４１ＢＬは後胴回り領域Ｓ３２に形成されている。幅狭部４１Ｎの側端と、幅広部４１ＦＬ，幅広部４１ＢＬの側端とは、曲線で結ばれており、第１層４１は砂時計型の平面形状を有する。
【００６４】
また、第１層４１には、幅方向Ｗの中央部に中央開口４５が形成されている。中央開口４５は、長さ方向Ｌに沿って延在する縦長の形状を有し、股間部領域Ｓ１、後側中間股下領域Ｓ２１及び後側中間股下領域Ｓ３１とに跨って形成されている。中央開口４５の長さは、約１８０ｍｍであり、幅は約４０ｍｍである。このように中央開口４５を形成することにより、中央部分４０Ｃを着用者側である内方向ＩＮに凸に曲がり易くすることができる。また、吸収体の前後方向への体液等の拡散性を高め、広い範囲において体液等を拡散させて、吸収性能を向上させることができる。
【００６５】
また、第１層４１の幅狭部４１Ｎの密度は、第１層４１の幅広部４１ＦＬの密度よりも高く、かつ、第１層４１の幅広部４１ＢＬの密度よりも高くなるように構成されている。更に、第１層４１の幅狭部４１Ｎの密度は、第２層４２の密度よりも高い。したがって、第１層４１の幅狭部４１Ｎは、第１層４１の他の部分や第２層４２よりも剛性が高くなる。
【００６６】
第２層４２は、前端部から中央に向かって切り欠きが形成された切り欠き部４２ＦＬと、後端部から中央に向かって切り欠きが形成された切り欠き部４２ＢＬと、切り欠き部４２ＦＬと切り欠き部４２ＢＬとの間に位置する中央部４２Ｎと、を有する。
【００６７】
第２層４２の幅方向の長さは、第１層４１の幅狭部４１Ｎよりも長く、第１層４１の幅広部４１ＢＬ及び幅広部４１ＦＬにおいて最も幅が広い部分の長さと略同じ長さである。第２層には、前後方向における両端部から中央に向かって延びる切り欠き４２ＣＦＬ及び切り欠き４２ＣＢＬが形成されている。
【００６８】
第２層４２には、一対のサイドスリット４２Ｓが形成されている。サイドスリット４２Ｓは、内方向ＩＮに凸、つまり吸収体４０が中央開口４５と同じ凸に曲がるように、長さ方向Ｌに沿って吸収体４０に形成されている。サイドスリット４２Ｓの長さは中央開口４５よりも短く、サイドスリット４２Ｓの幅は中央開口４５よりも狭い。具体的には、サイドスリット４２Ｓの長さは、約１１０ｍｍであり、幅は約１５ｍｍである。
【００６９】
切り欠き４２ＣＦＬは、後側中間股下領域Ｓ２１と前胴回り領域Ｓ２２とに跨って形成され、切り欠き４２ＣＢＬは、後側中間股下領域Ｓ３１に形成されている。切り欠き４２ＣＦＬの開口形状は、中央に向かって幅方向内側に延びる。
【００７０】
切り欠き４２ＣＦＬの幅方向における両外縁は、股間部領域Ｓ１及び後側中間股下領域Ｓ２１において、第１層４１の幅狭部４１Ｎの幅方向における両外縁と略同じ幅である。このような構成によれば、着用物品を着用した状態で足を閉じて折り畳まれた際の吸収体の前方部分の幅を小さくすることができる。よって、着用者の身体前側における吸収体の厚みを小さくし、股間部の違和感を少なくすることができる。
【００７１】
切り欠き４２ＣＢＬの幅方向における両外縁は、後側中間股下領域Ｓ３１において、第１層４１の幅広部４１ＢＬの幅方向における両外縁と略同じ幅である。このような構成によれば、吸収体に体液が吸収された状態で吸収体が膨らんだ際に、吸収体と着用者の肌との間に空間を確保し易くなる。更に、切り欠き４２ＣＢＬを設けることにより、第２層４２から第１層４１へ体液を円滑に移行させることができ、吸収体の性能を有効に活かすことができる。
【００７２】
股間部領域Ｓ１において、第１層４１の幅方向における外側端部４１Ｗは、前後方向に沿って配置されている。吸収体４０の外側端部４１Ｗよりも幅方向外側は、第２層４２のみによって構成され、外側端部４１Ｗよりも内側は、中央開口４５が形成された部分を除いて、第１層４１と第２層４２とによって構成される。よって、第１層４１の外側端部４１Ｗを境界として、吸収体４０の剛性及び厚みが変化する。本実施の形態では、剛性等が変化する第１層の外側端部４１Ｗを境界として、吸収体が曲がる。すなわち、第１層４１の外側端部４１Ｗが、吸収体４０を外方向に凸形状に曲げる第２曲部を構成する。このように、吸収体４０の厚み等が変化する第１層の外側端部４１Ｗを境界として凸状部分を形成する構成によれば、スリットによって凸状部分を形成する構成と比較して、凸状部分近傍にスリット等による開口を形成する必要がないため、吸収性能を維持しつつ凸状部分を形成することができる。なお、第1層４１の幅方向における外側端部４１Ｗは、第１層の前後方向に沿った端辺である。よって、第２曲部は、前後方向に沿って形成される。
【００７３】
このような第１層４１と第２層４２とによって構成される吸収体４０は、図４に示すように、中央部分４０Ｃ、第１中間部分４０ＭＦ、第２中間部分４０ＭＳ、及び側端部分４０ＳＥを有する。中央部分４０Ｃは、幅方向Ｗにおける吸収体４０の中央部に形成される。中間部分は、中央部分４０Ｃと側端部分４０ＳＥとの間に位置する。中間部分は、第１中間部分４０ＭＦと、第２中間部分４０ＭＳと、を有する。第１中間部分４０ＭＦは、中央部分４０Ｃと第２中間部分４０ＭＳとの間に位置する。第１中間部分４０ＭＦには、第２曲部による凸状部分が形成される。第２中間部分４０ＭＳは、第１中間部分４０ＭＦと側端部分４０ＳＥとの間に位置する。第２中間部分４０ＭＳには、第１曲部による凸状部分が形成される。側端部分４０ＳＥは、幅方向Ｗにおける吸収体４０の側端に形成される。
【００７４】
本実施形態では、股間部領域Ｓ１において、中央部分４０Ｃ、第２中間部分４０ＭＳ及び側端部分４０ＳＥは、第２層４２のみによって形成されている。一方、第1中間部分４０ＭＦは、第２層４２のみによって形成されている部分と、第１層４１と第２層４２とによって形成されている部分とを有する。したがって、第１中間部分４０ＭＦの一部における吸収体４０の厚さは、中央部分４０Ｃ及び側端部分４０ＳＥにおける吸収体４０の厚さよりも厚い。
【００７５】
吸収体４０の厚さは、吸収体４０の製品長及び製品幅に伸ばされた状態（つまり、しわの入らないように平坦な状態）で厚さ測定器に測定したい部分を挟み込んで測定する。使用可能な測定装置としては、例えば、ＰＥＡＣＯＣＫ製厚み計（測定部：直径５ｍｍ、測定時圧力：１６３ｇ／ｃｍ２）を用いることができる。
【００７６】
本実施形態では、第１層４１と第２層４２とは、厚さ方向Ｔに沿って押圧されることによって一体となっている。なお、第１層４１と第２層４２とは、接着剤や熱融着などによって一体としても構わない。また、吸収体４０は、第１層４１が非肌当接面側に位置し、第２層４２が、肌当接面側に位置しているが、第２層４２が非肌当接面側に位置し、第１層４１が肌当接面側に位置してもよい。
【００７７】
（３）吸収体の形状変化
図１１は、使い捨ておむつ１の着用状態を模式的に示す断面図（図１のＸ１−Ｘ’１線基準）である。図１１に示すように、使い捨ておむつ１が着用されると、中央弾性材４４、第１弾性材４８、及び第１層４１の幅方向における外側端部４１Ｗを基点として吸収体４０が曲がり、使い捨ておむつ１の幅方向Ｗに沿った断面形状は、波状に変形する。この結果、中央弾性材４４によって内方向ＩＮに凸となった吸収体４０の頂面が着用者の股間部に当接する。また、変形した状態の吸収体４０の高さ４０Ｔを二分した仮想線Ｍよりも着用者の身体に近接した上側領域４０Ｕには、中央部分４０Ｃ位置する。一方、仮想線Ｍよりも着用者の身体から離隔した下側領域４０Ｄには、第１中間部分４０ＭＦ、第２中間部分４０ＭＳ及び側端部分４０ＳＥが位置する。
【００７８】
中央曲部による凸状部分が形成される中央部分４０Ｃは、第２層４２のみによって構成されており、比較的厚みが薄い。中央曲部による凸状部分と第２曲部による凸状部分との間の第１中間部分４０ＭＦは、第１層と第２層とが重なっており、比較的厚みが厚い。更に、第１層４１の股間部領域Ｓ１の密度は、第１層４１における他の領域の密度と比較して高く、剛性が高い。中央曲部と第２曲部との間の剛性が高い部分によって中央曲部による凸状部分を支持することができ、中央曲部による凸形状の安定性を向上させることができる。
【００７９】
なお、サイド弾性材９０を含む側縁部５０Ａ（レッグスタンディングギャザー）は、図中の厚さ方向Ｔにおいて、中央部分４０Ｃよりも高い位置、つまり、着用者側に位置していることが好ましい。
【００８０】
図１２は、着用者が脚を閉じた場合における使い捨ておむつ１の着用状態を模式的示す断面図（図２のＸ１−Ｘ’１線基準）である。なお、図中の仮想線は、着用者の股間部及び両脚部を示す。
【００８１】
図１２に示すように、着用者が両脚を閉じると、使い捨ておむつ１の断面形状は、図１１に示した状態から図１２に示す状態に変化する。着用者が両脚を閉じた場合、中央部分４０Ｃ及び第２中間部分４０ＭＳは、着用者の股間部と当接するように位置する。一方、第１中間部分４０ＭＦ及び側端部分４０ＳＥは、中央部分４０Ｃよりも下方（股下側）に位置する。
【００８２】
また、図１３は、使い捨ておむつ１の着用状態を模式的に示す断面図（図１のＸ３−Ｘ’３線基準）である。図１３に示すように、使い捨ておむつ１が着用されると、第２弾性材４９によって、吸収体４０の第２弾性材４９に対応する部分が着用者の身体側に持ち上げられる。幅方向Ｗにおける第２弾性材４９の間には、第１弾性材４８が設けられていない。よって、吸収体４０は、第１弾性材４８等によって凸状に変形せずに、臀部に沿った曲線形状となる。
【００８３】
また、上述の使い捨ておむつ１は、吸収体４０が内方向ＩＮに凸に曲がるように吸収体４０に形成された中央弾性材４４及び第１弾性材４８と、吸収体４０が外方向ＯＵＴに凸に曲がるように吸収体４０に形成された一対のサイドスリット４２Ｓとが備えられる。中央曲部を構成する中央弾性材４４と第２曲部を構成する第１層４１の外側端部４１Ｗとの幅方向における距離は、外側端部４１Ｗと第２曲部を構成する第１弾性材との幅方向における距離よりも長い。したがって、中央部分４０Ｃの凸状部分の高さは、第２中間部分４０ＭＳの凸状部分の高さよりも高い。このため、使い捨ておむつ１の着用時において、着用者の排泄口に向けて凸状となった中央部分４０Ｃは、排泄口と密着し易い。また、第1中間部分４０ＭＦは、凹部を形成するため、当該凹部に排泄物が入り込み易く、着用者の肌と排泄物が直接接触することを抑制できる。
【００８４】
特に、中央弾性材４４の部分には中央開口４５が形成され、かつ、吸収体４０にはサイドスリット４２Ｓが形成されるため、吸収体４０に厚さの薄い部分を形成して凸状部分とする場合と比較して、吸収体４０が液体を吸収して膨らんだ場合でも吸収体４０が曲がり易くなる。また、使い捨ておむつ１を着用して吸収体４０が変形したときの断面形状は、股下から股間部に向かって狭くなる先細り状となり、着用者の股間部の隙間に収まり易く違和感を与えにくい。
【００８５】
また、中央曲部によって形成される凸状部分は、第２層のみによって構成されており、第１層４１と第２層４２とが積層されて構成された部分よりも厚みが薄い。すなわち、中央曲部によって形成される凸状部分は、厚みが薄くかつ高さが高いため、股間部の狭い隙間に挿入され易くなり、排泄口と密着し易くなる。よって、例えば、排尿口と吸収体とが密着するため、排泄された尿を迅速に吸収することができる。
【００８６】
更に、股間部領域Ｓ１において、第２曲部と中央曲部との間に位置する吸収体４０の密度は、中央部分４０Ｃ及び側端部分４０ＳＥの吸収体４０の密度よりも高くなるように構成されている。すなわち、第２曲部と中央曲部との間に位置する吸収体４０の剛性は、中央部分４０Ｃ及び側端部分４０ＳＥの吸収体４０の剛性よりも高く、かつ第２曲部よりも幅方向外側の吸収体４０よりも高くなるように構成されている。第２曲部と中央曲部との間に位置する吸収体４０は、中央曲部の幅方向外側に位置しており、中央の凸状部分を支持する。第２曲部と中央曲部との間に位置する吸収体４０の密度が高いことにより、中央曲部が排泄口に当接して着用者の身体によって押圧された場合であっても、中央曲部を起立させた状態で維持することができる。なお、着用者の排泄口側に突出する中央部分４０Ｃの厚みは薄く、かつ剛性が低いため、第２曲部と中央曲部との間に位置する吸収体４０によって中央の凸状部分を支持した場合であっても、着用者への圧迫感は低く、装着感の悪化を抑制することができる。
【００８７】
また、図２に示すように、吸収体４０には、第１弾性材の後方に配置された第１領域Ａ１と、第１領域Ａ１の後方に配置され、第１領域Ａ１と異なる剛性の第２領域Ａ２とを有する。第１領域Ａ１は、第１層４１のみで構成されている。第２領域Ａ２は、第１層４１の幅方向における端部が配置されている。この第１弾性材４８の後方に配置された第１吸収体４１の幅方向における端部は、後方に向かって幅方向内側から幅方向外側に向かって広がるように配置されている。この第１層４１の端部よりも後方は、第１層４１と第２層とが重なっている。よって、第１層４１の端部の前方と後方とには、剛性差が生じ、第１領域Ａ１と第２領域Ａ２とは、剛性が異なる。このように、第１弾性材４８方に剛性が異なる第１領域Ａ１と第２領域Ａ２とを設けることにより、第１弾性材４８による吸収体４０の変形が、第２弾性材４９が配置された臀部近傍まで影響することを抑制できる。
【００８８】
すなわち、使い捨ておむつ１によれば、排泄口近傍において吸収体を密着させて吸収性能を高めることができる。また、身体の前側において適度な空間を保ちつつ、身体の後側でフィット性を高めることができ、装着感を向上させることができる。
【００８９】
本実施形態では、吸収体４０は、第１層４１と第２層４２との２層構造であるが、本発明に係る着用物品の吸収体４０は、１層のみによって構成されていもよいし、３層以上で構成されていもよい。
【００９０】
［変形例］
次に、変形例１〜６に係る使い捨ておむつの吸収体４０Ｇ、４０Ｈ、４０Ｉ、４０Ｊ、４０Ｋ及び４０Ｌの構成について、図面を参照しながら説明する。なお、上述した第１実施形態に係る使い捨ておむつ１と同一部分には同一の符号を付して、相違する部分を主として説明する。図１４は、変形例１〜６に係る使い捨ておむつの吸収体の平面図である。変形例１〜５に係る吸収体は、第１層のみによって構成されている。
【００９１】
変形例１に係る吸収体４０Ｇは、図１４（ａ）に示すように、第１曲部を構成する一対の第１弾性材４８と、持ち上げ部を構成する一対の第２弾性材４９とを有する。第１弾性材４８と第２弾性材４９の構成は、第１の実施形態と同様である。
【００９２】
変形例２に係る吸収体４０Ｈには、図１４（ｂ）に示すように、第１弾性材４８と第２弾性材４９との間に吸収体４０を厚み方向に圧縮した圧搾部７５が設けられている。吸収体４０Ｈは、第1弾性材４８の後方に配置された第1領域Ａ１と、第１領域Ａ１の後方に配置され、第１領域Ａ１よりも剛性が高い第２領域Ａ２とを有する。第２領域Ａ２は、圧搾部７５が設けられた領域である。圧搾部７５は、第１弾性材４８よりも後方において、後方に向かって幅方向内側から外側に向かって延びるように配置されている。圧搾部７５の後方には、第２弾性材４９が配置されている。
【００９３】
第１領域Ａ１と、この第１領域Ａ１と剛性の異なる第２領域Ａ２とを第１弾性材４８の後方に設けることにより、第１弾性材４８による吸収体の変形が圧搾部７５よりも後方に影響し難くすることができ、且つ第２弾性材４９による吸収体の変形が圧搾部７５よりも前方に影響し難くすることができる。よって、第１弾性材４８による吸収体の変形と第２弾性材４８による吸収体の変形とが、互いに作用し合うことを抑制することができる。なお、圧搾部７５は、厚み方向において圧縮されていればよく、例えばエンボス加工によって形成される。
【００９４】
変形例３に係る吸収体４０Ｉは、図１４（ｃ）に示すように、変形例１に係る吸収体４０Ｇと吸収体の外形が異なっている。吸収体４０Ｉは、股間部領域Ｓ１に対する長さ方向Ｌの外側に、幅方向の長さが狭く形成された一対の幅狭部４０Ｎを有する。第１弾性材４８は、長さ方向Ｌにおいて一対の幅狭部４０Ｎの間に配置されている。第１弾性材４８の後方には、第１領域Ａ１と、第１領域Ａ１の後方に配置され、第１領域Ａ１よりも剛性が高い第２領域Ａ２とを有する。第１領域Ａ１は、吸収体が幅方向内側に凹んだ領域であり、第２領域Ａ２は、吸収体の幅方向における端部が配置された領域である。
【００９５】
このように、第１弾性材４８が設けられた股間部領域Ｓ１の後方に幅狭部４０Ｎを設け、第１領域Ａ１と第２領域Ａ２とを設けることにより、第１弾性材４８による凸状部分を股間部領域Ｓ１から前後方向に延びることを抑制することができる。よって、例えば、股間部に対して前後方向外側に位置する臀部等において、着用物品を身体に沿わせて配置し易くなり、フィット性を更に向上させることができる。
【００９６】
変形例４に係る吸収体４０Ｊには、図１４（ｄ）に示すように、第１弾性材４８の前方に中央曲部を構成する中央弾性材４４が設けられている。中央弾性材４４と第１弾性材４８は、幅方向において重ならないように配置されている。中央弾性材４４を設けることにより、吸収体４０の中央部分を着用者側に向けて凸状に形成し、排泄口と吸収体４０との密着性を高めることができる。
【００９７】
変形例５に係る吸収体４０Ｋは、図１４（ｅ）に示すように、第２弾性材４９が、第１弾性材４８の前方及び後方に延びて配置されている。第２弾性材４９は、変形前の状態において第１弾性材４８の伸長応力よりも小さくなるように配置されている。このような構成によれば、吸収体４０の幅方向外側端部が着用者側に向かって持ち上げられ、体液等が吸収体の側方から漏れることを抑制することができる。
【００９８】
変形例６に係る吸収体４０Ｌは、図１４（ｆ）に示すように、第１層４１及び第２層４２とによって構成されている。吸収体４０Ｌの第１層４１は、幅方向Ｗの中央に向かって凹む幅狭部と、幅狭部よりも長い幅を有する幅広部とを有している。幅狭部は、股間部領域Ｓ１に配置される。幅狭部の側端と幅広部の側端とは、曲線で結ばれており、第１層４１は砂時計型の平面形状を有する。
【００９９】
第２弾性材４９は、第１層４１と第２層４２とが重なった部分に設けられる。第２層４２は、長さ方向Ｌと幅方向Ｗとを有する長方形状である。第１弾性材４８は、第２層４２のみの部分に設けられる。第１弾性材４８の後方の第１領域Ａ１は、第２層４２のみで構成されている。第１領域Ａ１の後方には、第１層４１の幅方向外側の端部が配置された第２領域Ａ２が設けられている。第１領域Ａ１と第２領域Ａ２とは、吸収体の厚み及び剛性が異なるように構成されている。なお、本実施の形態では、持ち上げ部は、第１層と第２層とが重なった部分と、第２層のみの部分とに跨って配置されている。しかし、持ち上げ部は、例えば第１層と第２層とが重なった部分のみに配置されるように構成してもよい。また、吸収体にスリットを開口形成することによって、第１領域又は第２領域を設けるように構成していてもよい。
【０１００】
変形例７に係る吸収体４０Ｍは、図１４（ｇ）に示すように、第１曲部を構成する弾性材と持ち上げ部を構成する弾性材とが、同一の第３弾性材５１によって構成されている。第３弾性材５１は、第１曲部を構成する第１弾性部分５１ａと、持ち上げ部を構成する第２弾性部分５１ｂと、第１弾性部分５１ａと第２弾性部分５１ｂとの間の第３弾性部分５１ｃと、を有する。第３弾性部分５１ｃは、後方に向かって幅方向内側から外側に向かって延びており、着用者に向かう内方向に吸収体を変形させる。この第３弾性部分５１ｃによって吸収体が変形することにより、第１弾性部分５１ａによる吸収体の変形が第３弾性部分５１ｃよりも後方に影響し難くすることができ、且つ第２弾性部分５１ｂによる吸収体の変形が第３弾性部分５１ｃよりもよりも前方に影響し難くすることができる。
【０１０１】
なお、第３弾性部分５１ｃの伸張応力は、第１弾性部分５１ａの伸張応力よりも高くなるように構成されている。第３弾性部分５１ｃの伸張倍率は、１．５倍〜３．５倍であることが好ましい。このように、第１曲部を構成する弾性材と持ち上げ部を構成する弾性材とを一体化して設けることにより、部品点数を減らし、製造コストを縮減することができ、かつ製造効率を向上させることができる。
【０１０２】
［その他の実施形態］
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【０１０３】
例えば、上述した実施形態では、パンツ型の使い捨ておむつとして説明したが、本発明は、これに限定されるものではなく、オープン型の使い捨ておむつ、失禁用パッド及び生理用ナプキンなどに適用してもよい。
【０１０４】
上述した実施形態では、スリット、弾性材又は剛性の変化する境界部分を用いて吸収体が曲がるよう構成したが、吸収体の厚さを薄くしたり、吸収体にエンボス加工を施したりすることによって吸収体が曲がるよう構成してもよい。
【０１０５】
このように、本発明は、ここでは記載していない様々な実施の形態などを含むことは勿論である。従って、本発明の技術的範囲は、上述の説明から妥当な特許請求の範囲に係る発明特定事項によってのみ定められるものである。
【符号の説明】
【０１０６】
１，２００…使い捨ておむつ（使い捨て着用物品）、３…ウエストギャザー、３Ａ…ウエスト弾性材、４，４’…前胴回り側縁部、５…レッグギャザー、５Ｆ…前脚回り弾性材、５Ｒ……後脚回り弾性材、６，６’…後胴回り縁部、７…腰回りギャザー、７Ａ…腰回り弾性材、８…中間股下縁部、１０…表面シート、１５…セカンドシート、２０…吸収体表面被覆シート、３０…吸収体裏面被覆シート、４０，４０Ｇ，４０Ｈ,４０Ｉ，４０Ｊ，４０Ｋ,４０Ｌ…吸収体、４０Ｃ…中央部分、４０Ｄ…下側領域、４０ＭＦ…第１中間部分、４０ＭＳ…第２中間部分、４０Ｎ…幅狭部、４０ＳＥ…側端部分、４０Ｕ…上側領域、４１…第１層、４１ＢＬ，４１ＦＬ…幅広部、４１Ｎ…幅狭部、４１Ｗ…外側端部、４２…第２層、４２ＢＬ，４２ＦＬ…切り欠き部、４２ＣＢＬ,４２ＦＢＬ…切り欠き、４２Ｎ…中央部、４２Ｗ…外側端部、４２Ｓ…サイドスリット，４３…弾性材被覆シート、４４…中央弾性材、４４Ｃ…中央部弾性部材、４４Ｂ…後端部、４４Ｆ…前端部、４４Ｓ…中央補助弾性部材、４５…中央開口、４８…第１弾性材、４８Ｂ…後端部、４８Ｆ…前端部、４９…第２弾性材、４９Ｂ…後端部、４９Ｆ…前端部、５０Ａ…側縁部、５１…第３弾性材、  ６０…サイドシート、７０Ｆ…前側外装トップシート、７０Ｒ…後側外装トップシート、７５…圧搾部、８０Ｆ…前側外装バックシート、８０Ｒ…後側外装バックシート、９０…サイド弾性材、１００…外装センターシート、Ｓ１…股間部領域、Ｓ２…前側領域、Ｓ３…後側領域、Ｓ２１…前側中間股下領域、Ｓ２２…前胴回り領域、Ｓ３１…後側中間股下領域、Ｓ３２…後胴回り領域
【図１】
0005749942.tif 000002
【図２】
0005749942.tif 000003
【図３】
0005749942.tif 000004
【図４】
0005749942.tif 000005
【図５】
0005749942.tif 000006
【図６】
0005749942.tif 000007
【図７】
0005749942.tif 000008
【図８】
0005749942.tif 000009
【図９】
0005749942.tif 000010
【図１０】
0005749942.tif 000011
【図１１】
0005749942.tif 000012
【図１２】
0005749942.tif 000013
【図１３】
0005749942.tif 000014
【図１４】
0005749942.tif 000015